(57)【特許請求の範囲】
【請求項１】
底板と上面板及びそれらの外端部間に内外に離間させて設けた平面視前向コ字状の内パネルと外パネルにより、前面が開口された箱状の収納部を形成するとともに、前記内パネルと外パネルとの間における底板と上面板との対向面に、ガイド溝を設け、この両ガイド溝に、水平方向に可撓性を有するシャッタの上下の端部を、前記収納部の前面を閉じる閉扉位置と、両パネル間に収納されて開口部を開く開扉位置との間を移動しうるように嵌合してなるシャッタ付きキャビネットにおいて、
前記外パネルの上下の端縁に、それぞれ内向きの取付片を設け、上部の取付片を前記上面板の下面にねじ止めし、かつ下部の取付片を、前記底板の上面に、該底板の下方より挿入したねじにより固定するとともに、前記内パネルの上下の端縁に、それぞれ内向きの取付片と外向きの取付片を設け、これら両取付片の少なくともいずれか一方を、固着手段により、同じく他方を、係止手段により、上面板の下面と底板の上面に固定したことを特徴とするシャッタ付きキャビネット。
【請求項２】
固着手段をねじとするとともに、係止手段を、上部または下部の取付片に突設された上方または下方を向く複数の突片と、底板の上面または上面板の下面に形成された、前記突片が嵌合しうる複数の係合孔とからなるものとした請求項１記載のシャッタ付きキャビネット。
【請求項３】
内パネルにおける下部の外向きの取付片に突片を設け、この突片を、底板の上面に形成した係合孔に嵌合するとともに、内パネルにおける上部の内向きの取付片を、上面板の下面にねじにより固着した請求項２記載のシャッタ付きキャビネット。
【請求項４】
外パネルにおける下部の取付片の上面に、該取付片に穿設した複数の取付孔と整合するナットを固着してなる請求項１〜３のいずれかに記載のシャッタ付きキャビネット。
【発明の詳細な説明】
【０００１】
【発明の属する技術分野】
本発明は、収納部の前面の開口部を、スライド式のシャッタにより開閉しうるようにしたシャッタ付きキャビネットに関する。
【０００２】
【従来の技術】
キャビネットの中には、その収納部を、底板と上面板、及びそれらの間に取付けられた前向コ字状をなす内外２枚のパネルにより、前面が開口された箱状に形成するとともに、上記底板と上面板との対向面の外周部にガイド溝を設け、この両ガイド溝に、板厚（水平）方向に可撓性を有するフレキシブルシャッタ（以下、シャッタと略称する）の上下の端部を、上記開口部を閉じる閉扉位置と、上記内外のパネル間にほぼ収納されて開口部を開く開扉位置との間を、前後方向に摺動しうるように嵌合したシャッタ付きキャビネットがある。
【０００３】
【発明が解決しようとする課題】
上述した従来のシャッタ付きキャビネットにおいて、内外のパネルと底板及び上面板との取付けは、一般に、底板及び上面板に複数の取付孔を穿設し、この取付孔より挿入したねじを、両パネルの上下両端に形成した水平の取付片に螺挿することにより固定していた。
【０００４】
外パネルにおいては、その上下の端部を底板と上面板の側端面にねじ止めしたり、上下両端に形成した内向の取付片を、底板の下面及び上面板の上面にねじ止めしたりすることもあった。
そのため、ねじの頭部や取付片が外部に露出し、見栄えが悪いという問題を有していた。
【０００５】
また内パネルの上下両端が、全てねじを用いて底板と上面板に固定されているため、組立てが面倒であった。
【０００６】
本発明は、上記問題点に鑑みてなされたもので、ねじや取付片等を一切外部に露出させることなく、内外のパネルを底板と上面板に取付けることができ、かつ内パネルの上下両端の少なくともいずれか一方を、ねじによることなく固定しうるようにすることにより、その取付けを簡単に行いうるようにした、シャッタ付きキャビネットを提供することを目的としている。
【０００７】
【課題を解決するための手段】
本発明によると、上記課題は、次のようにして解決される。
（１）底板と上面板及びそれらの外端部間に内外に離間させて設けた平面視前向コ字状の内パネルと外パネルにより、前面が開口された箱状の収納部を形成するとともに、前記内パネルと外パネルとの間における底板と上面板との対向面に、ガイド溝を設け、この両ガイド溝に、水平方向に可撓性を有するシャッタの上下の端部を、前記収納部の前面を閉じる閉扉位置と、両パネル間に収納されて開口部を開く開扉位置との間を移動しうるように嵌合してなるシャッタ付きキャビネットにおいて、前記外パネルの上下の端縁に、それぞれ内向きの取付片を設け、上部の取付片を前記上面板の下面にねじ止めし、かつ下部の取付片を、前記底板の上面に、該底板の下方より挿入したねじにより固定するとともに、前記内パネルの上下の端縁に、それぞれ内向きの取付片と外向きの取付片を設け、これら両取付片の少なくともいずれか一方を、固着手段により、同じく他方を、係止手段により、上面板の下面と底板の上面に固定する。
【０００８】
（２）上記(１)項において、固着手段をねじとするとともに、係止手段を、上部または下部の取付片に突設された上方または下方を向く複数の突片と、底板の上面または上面板の下面に形成された、前記突片が嵌合しうる複数の係合孔とからなるものとする。
【０００９】
（３）上記(２)項において、内パネルにおける下部の外向きの取付片に突片を設け、この突片を、底板の上面に形成した係合孔に嵌合するとともに、内パネルにおける上部の内向きの取付片を、上面板の下面にねじにより固着する。
【００１０】
（４）上記(１)〜(３)項のいずれかにおいて、外パネルにおける下部の取付片の上面に、該取付片に穿設した複数の取付孔と整合するナットを固着する。
【００１１】
【発明の実施の形態】
以下、本発明の実施形態を、図面に基づいて説明する。
図１において、(１)は、平面視ほぼＬ字形をなす机で、その後端面と、右方の側端面は、床面に立設された、天板(1a)の上面よりも高さの高い複数のフロアパネル(２)により覆われている。
【００１２】
机(１)の右端側の前部には、フロアパネル(２)とほぼ等高をなす本発明のキャビネット(３)が、その後面を机(１)の前端より延出させたフロアパネル(２)の内面に当接するとともに、机(１)の天板(1a)の前端とほぼ整合するようにして、設置されている。
【００１３】
キャビネット(３)は、上下２段の引出し(４)を備える下部収納部としての矩形箱状の引出し付き下部キャビネット（以下、下部キャビネットと略称する）(５)と、その上面に載置された、前後左右の寸法が下部キャビネット(５)のそれとほぼ等しい上部収納部としてのシャッタ付き上部キャビネット（以下、上部キャビネットと略称する）(６)とからなっている。
【００１４】
上部キャビネット(６)は、図２の分解斜視図にも示すように、方形をなす底板(７)、内パネル(８)、左右１対のフレキシブルシャッタ(９)(９)、外パネル(10)、及び上記底板(７)とほぼ同じ大きさの上面板(11)よりなり、底板(７)の上面の高さは、机(１)の天板(1a)の高さと整合するようにしてある。
【００１５】
上記底板(７)の上面の外端部には、隅部を円弧状に湾曲された無端状のガイド溝(12)が形成され、このガイド溝(12)内には、図４に示すような、合成樹脂よりなる上向きコ字状断面のガイドレール(13)が嵌着されている。
【００１６】
上記上面板(11)の下面にも、底板(７)と同様のガイド溝(12)が対向状に形成され、このガイド溝(12)には、上記と同じガイドレール(13)（図９参照）が、上下反対向きに嵌着されている。
【００１７】
上下の各ガイドレール(13)における前後の案内路(14)内の中央部には、図４及び図５に拡大して示すような平面視Ｔ字状をなす合成樹脂製のストッパ部材(15)(15)（上下同一構造につき、上方のものは図示略）が、ねじ(16)により前後対称的に固定されている。
【００１８】
前後のストッパ部材(15)は、上記左右１対のシャッタ(９)をそれぞれ閉扉位置と開扉位置で停止させるもので、案内路(14)と直交する方向を向くストッパ部(15a)と、その内端に連設された、案内路(14)と同方向を向く左右１対の係合片(15b)(15b)とを備え、両係合片(15b)の外面の外端部には、外向きの係止突部(15c)が形成されている。
【００１９】
図５の２点鎖線及び図６に示すように、（後部側は同一構成に付き、図示略）ストッパ部材(15)における両係合片(15b)の係止突部(15c)には、左右（右方のみ図示する）のシャッタ(９)の前端部の上下両面（上方は図示略）に形成した方形孔(17)に嵌合された金属または合成樹脂製のスライダ(18)が係止されるようになっている。
【００２０】
すなわち、スライダ(18)は、中央部に形成された側面視山形状の折曲部(18a)を中心として、下端の前後１対の摺動片(18b)(18b)が内向きに弾性変形しうるようになっており、ガイドレール(13)の底面上を摺動してきたスライダ(18)の内方の摺動片(18b)が、ストッパ部材(15)の係止突部(15c)に当接すると、スライダ(18)は、外方に弾性変形させられ、内方の摺動片(18b)が係止突部(15c)を乗り越え、その内方の幅広部において弾性復元し、係止突部(15c)の内端と弾性的に係合することにより、シャッタ(９)は、閉扉位置に保持される。
【００２１】
シャッタ(９)の後端も、ストッパ部材(15)の係止突部(15c)に、上記と同様のスライダ(18)の摺動片(18b)が突入して係止されることにより、両シャッタ(９)は最大開扉位置に停止されて保持される。
【００２２】
上記内パネル(８)は、板金により平面視前向きコ字状に形成され、その前後寸法は、底板(７)の前後寸法をほぼ３等分した寸法とされ、かつ左右寸法は、底板(７)の左右方向のガイドレール(13)間の離間寸法よりも若干小としてある。また上下寸法は、シャッタ(９)のそれよりも所要寸法短寸とされている。
【００２３】
内パネル(８)の左右の側板(8a)の前端縁には、平面視外向Ｌ字状の折曲片(8b)(8b)が形成され、また、両側板(8a)の中央部には、複数の棚板(Ａ)を側板(8a)より前方に突出した状態で支持しうるブラケット（図示略）を係止するための係止孔(19)が、上下方向に所定間隔を設けて穿設されている。
【００２４】
内パネル(８)の上下の周端縁には、それぞれ内向の取付片(20)と外向の取付片(21)とが折曲形成され、内向の取付片(20)には複数の取付孔(22)が、また外向の取付片(21)の外端縁と左右の折曲片(8b)の左右方向を向く下端縁とには、図７に倒立して示すように、複数の下向突片(23)が、それぞれ形成されている。
【００２５】
上記各下向突片(23)は、底板(７)の上面に形成した係合孔(24)に嵌合しうるようになっている。
【００２６】
左右のシャッタ(９)は、上下方向を向く多数のスラット(9a)同士を、厚さ（水平）方向に可撓性を有するように互いに連結して構成された公知のものよりなり、それらの前後方向の長さは、図３に示すように、ガイドレール(13)を左右方向に２分した半周の長さの半分よりも若干長くしてある。
両シャッタ(９)の前端の若干幅広のスラット(9b)における上下方向の中間部前面には、把手(25)が取付けられている。
【００２７】
また、左右のスラット(9b)の対向面には、ゴム又は軟質合成樹脂よりなる緩衝材(26)が嵌着されている（図６参照）。
緩衝材(26)の上下寸法は、前後の上下のストッパ部材(15)の厚さ分だけ短寸とされている。
【００２８】
右方のシャッタ(９)におけるスラット(9b)の前面側には、図８に示すように、キーの挿し込み部(27)が設けられ、そのスラット(9b)内に突出する回動軸（図示略）には、先端に鉤状のフック部を備えるラッチ(28)が取付けられている。
【００２９】
両シャッタ(９)が閉じられているとき、図示しないキー操作により、ラッチ(28)を正面視反時計方向に回動させると、ラッチ(28)の先端部は、右方のシャッタ(９)の側端面と緩衝材(26)の端面とに形成したスリット（図示略）を通して左方に突出し、左方のシャッタ(９)の緩衝材(26)に形成したスリット(29)に突入して、先端のフック部が、左方のスラット(9b)の端面に形成された係合孔(30)の下端縁の内面と係合する。
【００３０】
これにより、両シャッタ(９)を閉扉状態にロックすることができる。
両シャッタ(９)を開く際は、キーを挿し込み部(27)に挿し込んで、ラッチ(28)を時計方向に回動させればよい。
【００３１】
上記外パネル(10)は、板金により平面視前向きコ字状に形成され、その前後寸法は、底板(７)の前後寸法をほぼ２分した寸法とされ、かつ左右寸法は、底板(７)の左右寸法とほぼ等しくされている。また、上下寸法は、上記内パネル(８)と等寸としてある。
【００３２】
外パネル(10)の左右の側板(10a)の前端は、平面視内向Ｌ字状折曲されている。
【００３３】
外パネル(10)の上下の周端縁には、内向の取付片(31)(31)が形成され、上部の取付片(31)には複数の取付孔(32)が穿設され、また下部の取付片(31)に穿設された複数の取付孔（図示略）と対向する上面には、ナット(33)が溶接により固着されている。
【００３４】
次に、上記キャビネット(３)の組立手順を、図９〜図１２を参照して説明する。なお、全ての部材は、上下反対向きとして組立てるため、上下の方向の説明は、正立した上下ではなく、図面についていう。
まず図９に示すように、上下反対向きとした上面板(11)の上面におけるガイドレール(13)の外方の後端部に、同じく上下反対向きとした外パネル(10)を、その下端縁の内向きの取付片(31)を複数のねじ(34)をもって固定することにより、立設する。
【００３５】
ついで、図１０に示すように、上下反対向きとした左右のシャッタ(９)の下端部を、上面板(11)のガイドレール(13)に嵌合して起立させる。
【００３６】
ついで、図１１に示すように、両シャッタ(９)の内方における上面板(11)の後端部上面に、上下反対向きとした内パネル(８)を、その下端縁の内向きの取付片(20)を複数のねじ(34)をもって固定することにより、外パネル(10)との間に、シャッタ(９)がガイドレール(13)に沿って移動しうるだけの隙間を設けて立設する。
【００３７】
ついで、図１２に示すように、上下反対向きとした底板(７)を、先に組立てた各部材の上面に被せ、その下面のガイドレール(13)に左右のシャッタ(９)の上端部を摺動可能に嵌合するとともに、下面の複数の係合孔(24)（図２参照）を、内パネル(８)の外向きの取付片(21)と折曲片(8b)とに突設した突片(23)に嵌合させたのち、外パネル(10)の内向きの取付片(31)の下面に固着した複数のナット(33)（図２参照）に向かって、底板(７)に予め穿設しておいた複数の取付孔(35)より皿ねじ(36)を螺合し、底板(７)を外パネル(10)の上端に固定する。なお、底板(７)の上面には、皿ねじ(36)の頭部が突出しないようにしてある。この状態において、上部キャビネット(６)は、前面とそれに連続する左右両側面の前半部が開口する箱状に組立てられる。
【００３８】
上記の組立手順において、外パネル(10)と内パネル(８)の順序は、内パネル(８)を先に取付けてもよい。
【００３９】
最後に、全体を上下反対向きとすることにより、上部キャビネット(６)の組立ては完了し、その底板(７)を下部キャビネット(５)の天板状に載置して使用される。
【００４０】
使用時において、左右のシャッタ(９)は、図３に示すように、キャビネット(６)の両側面の中間部付近まで開くことができ、キャビネット(６)の前面と両側面が大きく開口されるので、キャビネット(６)より目的のファイル等を取出したり、それを所定の位置に戻したりする際の作業を、椅子に着座したままでも容易に行いうる。
【００４１】
また、上部キャビネット(６)の底板(７)の上面を、机(１)の天板(1a)と同一面に整合させてあるため、シャッタ(９)を開くと、底板(７)を天板(1a)の一部として物品を仮置きしたりすることができ、かつ段差がないので、ファイル等の出し入れも支障なく行いうる。
【００４２】
底板(７)及び上面板(11)に設けたガイドレール(13)内における左右方向の中央部に、両シャッタ(９)を閉扉位置及び最大開扉位置で停止させるストッパ部材(15)をそれぞれ設け、かつ両ストッパ部材(15)とシャッタ(９)の前後の端部とには、両シャッタ(９)を開扉及び閉扉位置に保持する保持手段を設けてあるため、両シャッタ(９)は、キャビネット(６)の正面の中央部で正確に閉扉され、その状態に保持しうるとともに、最大開扉位置まで左右均等に開かれ、かつその位置に保持することができる。
従って、両シャッタ(９)が閉扉位置にあるときに、キャビネット(６)に振動等が加わったり、開方向にリバウンドしたりしても、両シャッタ(９)の当接面に隙間が形成されたり、開扉位置から妄りに前方に移動したりすることはない。
【００４３】
また、スライダ(18)の摺動片(18b)が、ストッパ部材(15)の係止突部(15c)に係合して弾性変形させられる際、緩衝作用を有するため、両シャッタ(９)がストッパ部材(15)のストッパ部(15a)に当接した際の衝撃が緩和され、大きな衝撃音が発生するのが防止される。
【００４４】
右方のシャッタ(９)の前端のスラット(9b)に、キー操作により回動可能なラッチ(28)を設け、これを左方のシャッタ(９)のスラット(9b)に形成した係合孔(30)と係合させるだけの簡単な手段で、両シャッタ(９)を閉扉位置に確実にロックしうるため、防盗性も高い。
【００４５】
内パネル(８)及び外パネル(10)の上端縁に、内向きの取付片(20)(31)を設け、これに上面板(11)の下面をねじ(34)により固定しているため、上面板(11)の上面にねじの頭部が露出したり、外パネル(10)の上面板(11)への取付部が外部に露出したりすることはなく、外観的な見栄えが向上する。
【００４６】
また、内パネル(８)の下端縁に外向きの取付片(21)を設け、かつこの取付片(21)に突設した突片(23)を、底板(７)の上面の係合孔(24)に嵌合することにより、内パネル(８)の下端を底板(７)に取付けているため、キャビネット(６)内における底板(７)の上面に段差等の突部が形成され、物品の出し入れの妨げとなることはない。
しかも、内パネル(８)の下端を、ねじ等を用いることなく、簡単に底板(７)に固定することができる。
【００４７】
本発明は、上記実施形態に限定されるものではない。
上記実施形態では、両シャッタ(９)を閉扉及び開扉位置で停止させるストッパ部材(15)を、底板(７)と上面板(11)との両方に設けているが、上面板(11)側のストッパ部材(15)は省略することもある。
【００４８】
底板(７)及び上面板(11)を合成樹脂等により形成した際には、ガイドレール(13)を省略し、単にガイド溝(12)のみとすることもある。
【００４９】
上記実施形態では、内パネル(８)の下部側の取付片(21)に突片(23)を設け、これを底板(７)の係合孔(24)に嵌合しているが、その反対に、上部側の取付片(20)に突片を設け、これを上面板(11)の下面に形成した係合孔に嵌合し、下部側の取付片(21)は、底板(７)を挿通するねじにより固定するようにしてもよい。
【００５０】
また、上下の取付片(20)(21)の両方に突片(23)を設け、これらを、底板(７)と上面板(11)の対向面に形成した係合孔(24)に嵌合し、ねじによる固定を省略することもある。
【００５１】
上記実施形態では、左右２枚のシャッタ(９)を用いているが、１枚のシャッタとすることもある。
この際には、シャッタの長さを、キャビネット(６)の前面と両側面の開口部を閉塞しうる長さ、例えばガイドレール(13)の全周の長さのほぼ半分とすればよい。
【００５２】
【発明の効果】
請求項１記載の発明によれば、外パネルにおける上下両端の上面板及び底板への取付部が外部より見えたり、上面板の上面にねじの頭部が露出したりしないので、見栄えが向上する。
また、内パネルの下端の底板への取付けは、外向きの取付片により行われるため、収納部内の底板の上面に段差等の突部が形成されることはなく、物品の出し入れの妨げとなるのを防止しうる。
さらに、内パネルの上下の取付片のいずれか一方を、係止手段により、上面板の下面または底板の上面に固定しうるため、内パネルの取付作業が能率的となる。
【００５３】
請求項２記載の発明によれば、内パネルにおける上下の少なくともいずれか一方の取付片をねじにより固定すると、上面板または底板に対する結合強度が増し、かつ突片と係合孔との係止手段により固定すると、内パネルを、ねじや工具を用いることなく、簡単に取付けることができる。
【００５４】
請求項３記載の発明によれば、上面板及び内パネルを上下反対向きとした状態で、内パネルの内向きの取付片を、ねじにより上面板の上面に固着したのち、同じく上下反対向きとした底板の係合孔を、外向きの取付片の突片に上方より嵌合しうるので、内パネルと上面板及び底板との取付作業が容易となる。
【００５５】
請求項４記載の発明によれば、上下反対向きとした外パネルの上端に、同じく上下反対向きとした底板を載置し、それに穿設した取付孔より挿入したねじを、取付片のナットに向かって螺合させるだけで、外パネルと底板とを簡単に結合することができる。
【図面の簡単な説明】
【図１】本発明のキャビネットを机に並設して設置した例を示す斜視図である。
【図２】同じく、キャビネットの分解斜視図である。
【図３】同じく、上面板を取外して示す平面図である。
【図４】同じく、図３のIV−IV線の拡大縦断側面図である。
【図５】同じく、底板のガイドレールに設けたストッパ部材の拡大平面図である。
【図６】同じく、ストッパ部材とシャッタの保持部材との詳細を示す要部の斜視図である。
【図７】同じく、内パネルの下端部を倒立して示す拡大斜視図である。
【図８】同じく、左右のシャッタを閉扉状態にロックするラッチと、その係合部を示す一部切欠正面図である。
【図９】上部キャビネットの組立て手順を示し、上面板に外パネルを取付ける要領を示す斜視図である。
【図１０】同じく、上面板のガイドレールに左右のシャッタを嵌合した状態の斜視図である。
【図１１】同じく、上面板に内パネルを取付ける要領を示す斜視図である。
【図１２】同じく、内外のパネルに底板を取付ける要領を示す斜視図である。
【符号の説明】
(１)机
(1a)天板
(２)フロアパネル
(３)キャビネット
(４)引き出し
(５)下部キャビネット
(６)上部キャビネット
(７)底板
(８)内パネル
(8a)側板
(8b)折曲片
(９)シャッタ
(9a)(9b)スラット
(10)外パネル
(10a)側板
(11)上面板
(12)ガイド溝
(13)ガイドレール
(14)案内路
(15)ストッパ部材
(15a)ストッパ部
(15b)係合片
(15c)係止突部
(16)ねじ
(17)方形孔
(18)スライダ
(18a)折曲部
(18b)摺動片
(19)係止孔
(20)(21)取付片
(22)取付孔
(23)下向突片（係止手段）
(24)係合孔  （係止手段）
(25)把手
(26)緩衝材
(27)挿し込み部
(28)ラッチ
(29)スリット
(30)係合孔
(31)取付片
(32)取付孔
(33)ナット
(34)ねじ
(35)取付孔
(36)皿ねじ
(Ａ)棚板
【図１】
0003985950.tif 000002
【図２】
0003985950.tif 000003
【図３】
0003985950.tif 000004
【図４】
0003985950.tif 000005
【図５】
0003985950.tif 000006
【図６】
0003985950.tif 000007
【図７】
0003985950.tif 000008
【図８】
0003985950.tif 000009
【図９】
0003985950.tif 000010
【図１０】
0003985950.tif 000011
【図１１】
0003985950.tif 000012
【図１２】
0003985950.tif 000013